(57)【特許請求の範囲】
【請求項１】
モータによって平行リンクを駆動することにより枕本体を水平状態で上下動可能となし、かつ、前記平行リンクの先端においてネジ駆動によって前記枕本体を患者の首部を支点として上下方向に回動できるように構成した枕装置を眼科用手術台に取付け、かつ、前記手術台に前記モータを駆動するための制御回路を内蔵し、該制御回路を操作するための操作面を手術台に設け、また、前記枕本体の基板に軸杆を固定し、該軸杆にスリ割りを有するロックメタルを回転自在に軸支し、該ロックメタルに形成されたガイド孔に直立軸が先端に固定されたガイド軸をスライド自在に取付け、さらに、前記直立軸に対して上端にリストレストが取付けられた上下動軸をスライド自在に取付け、前記ガイド軸の前記ロックメタルに対するスライドを阻止し、かつ前記スリ割りを狭めて前記軸杆に対するロックメタルの回動を阻止とを同時に行うネジをロックメタルに設けると共に、前記上下動軸の直立軸に対するスライドを阻止するネジを前記直立軸に設けたことを特徴とする眼科用手術台。
【請求項２】
前記枕装置はストレッチャーに手術台をセットした状態において、前記制御回路および前記モータを電源に接続することで、前記操作面を操作して前記モータを駆動して前記枕本体を水平状態で上下動回動可能としたことを特徴とする請求項１記載の眼科用手術台。
【発明の詳細な説明】
【０００１】
【発明の属する技術分野】
本発明は前室および準備室から手術室まで眼科用手術台を移送するためのストレッチャーにセットした状態においても、該手術台に取付けられている枕装置を所望の形態に変位できるようにした眼科用手術台に関する。
【０００２】
【従来の技術】
従来より眼科用の手術台は、患者の頭部を固定する枕本体を平行に上下動したり、枕本体を患者の首を支点として上下方向に回動したり、さらに、枕本体を左右方向に回動したりできるような枕装置が取付けられていた。そして、このような枕装置は、手術室に設置されているコラムにセットした時に前記したような制御が行えるように構成されていた。
【０００３】
【発明が解決しようとする課題】
ところで、眼科手術において手術時間の短縮を図るために、患者を病室より準備室に移送した段階において、点滴、麻酔、消毒および患者の頭部を枕装置を制御して手術の際における適切な頭部位置にセットして、手術台をコラムにセットした後、直ちに、手術に掛かれるようにすることが望まれている。
【０００４】
本発明は前記した問題点を解決せんとするもので、その目的とするところは、前室および準備室より手術室に移送するためのストレッチャーに手術台をセットした状態において、前記手術台の一部に設けられた制御回路によって枕装置を制御して、手術の際における適切な頭部位置に枕装置をセットできるようにし、これにより、手術への移行が迅速に行えるようにした眼科用手術台を提供せんとするにある。
【０００５】
【課題を解決するための手段】
本発明の眼科用手術台は前記した目的を達成せんとするもので、その手段は、モータによって平行リンクを駆動することにより枕本体を水平状態で上下動可能となし、かつ、前記平行リンクの先端においてネジ駆動によって前記枕本体を患者の首部を支点として上下方向に回動できるように構成した枕装置を眼科用手術台に取付け、かつ、前記手術台に前記モータを駆動するための制御回路を内蔵し、該制御回路を操作するための操作面を手術台に設け、また、前記枕本体の基板に軸杆を固定し、該軸杆にスリ割りを有するロックメタルを回転自在に軸支し、該ロックメタルに形成されたガイド孔に直立軸が先端に固定されたガイド軸をスライド自在に取付け、さらに、前記直立軸に対して上端にリストレストが取付けられた上下動軸をスライド自在に取付け、前記ガイド軸の前記ロックメタルに対するスライドを阻止し、かつ前記スリ割りを狭めて前記軸杆に対するロックメタルの回動を阻止とを同時に行うネジをロックメタルに設けると共に、前記上下動軸の直立軸に対するスライドを阻止するネジを前記直立軸に設けたことを特徴とする。
【０００６】
また、前記枕装置はストレッチャーに手術台をセットした状態において、前記制御回路および前記モータを電源に接続することで、前記操作面を操作して前記モータを駆動して前記枕本体を水平状態で上下動回動可能としたことを特徴とする。
【０００８】
【発明の実施の形態】
以下、本発明に係る手術台装置の一実施の形態を図面と共に説明する。
図１において、Ａは眼科用の手術台にして、長手方向の側面にはサイドレール１が取付けられ、また、裏面の略中央の長手方向と直交する位置には、後述するストレッチャーＢおよびコラムＣに対して着脱自在に取付けるための２個の突起２が固定されると共に電源に接続するためのコネクタ３が取付けられている。
【０００９】
さらに、前端には後に詳述する患者の頭部を固定するための枕装置Ｄが取付けられ、また、後端の裏面には手術台Ａを昇降動作させると共に、前記枕装置Ｄにおける枕本体１５を水平状態で昇降させるための制御回路４が、操作面４ａを後端に向けた状態で取付けられている。なお、前記制御回路４内には、手術台Ａが眼科用の手術台Ａであることの信号を後述するコラムＣに送出する識別コード発信器が内蔵されている。
【００１０】
ストレッチャーＢの下桟にはブレーキ付きのキャスター５が取付けられ、また、上桟には前記手術台Ａの裏面に取付けられている突起２が挿入される突起受け６が形成されている。なお、７は手押し用の把手である。
【００１１】
コラムＣは前記ストレッチャーＢで前室あるいは準備室より移送された手術台Ａを、該ストレッチャーＢより外して前記突起２を利用して固定するもので、固定された手術台Ａを図示のように縦横転の角度調整可能なように制御し、あるいは、手術台Ａ全体を昇降させたりすることが可能である。すなわち、眼科専用のコラムおよび一般の外科用等の手術台用のコラムとしても利用できる機能を有するものであり、手術室内に固定されている。
【００１２】
なお、前記手術台Ａを縦横転の角度調整可能なように制御し、あるいは、手術台Ａ全体を昇降させたりするための制御回路８が取付けられており、該制御回路８には図示しないハンドスイッチまたはフットスイッチが接続されている。なお、制御回路８は図面においてコラムＣの側面に取付けたものを示しているが、コラムＣ内であればどのような位置であってもよい。
【００１３】
次に、眼科用手術台Ａの前面側に取付けられている枕装置Ｄの詳細を図６〜図１２と共に説明する。
図６〜図８において、９は前記手術台Ａの前方下面に固定されたモータにして、該モータ９の出力軸９ａにはネジ棒１０が取付けられている。１１は前記ネジ棒１０の先端側に螺合されたナット１１ａが固定されているナットホルダーにして、該ナットホルダー１１は一対の支持板１２に軸支されている。
【００１４】
１３は一端が前記支持板１２に対して軸支された平行リンク、１４も同じ屈曲部１４ａが前記支持板１２に対して軸支された平行リンクにして、基端部が前記ナットホルダー１１ａに軸支されている。１５は枕本体にして、該枕本体１５の基板１５ａには前記平行リンク１３，１４の他端が軸支されている。
【００１５】
このように構成したことにより、モータ９を回転してネジ棒１０を回転させると、ナットホルダー１１が図６〜図８において左右方向に移動することとなるので、平行リンク１３，１４が変位して図７あるいは図８のように枕本体１５を垂直方向に上下動する。
【００１６】
図９、図１０において、１６は前記枕本体１５の基板１５ａ間に回転自在に取付けられたピッチング用ノブにして、中間部にスパイラルギア１６ａが固定されている。１７は前記スパイラルギア１６ａに噛合され、該スパイラルギア１６ａの回転に伴って回転するスパイラルギア１７ａが取付けられているピッチング用ネジ、１８は前記ピッチング用ネジ１７が螺合されたナット１８ａを固定されたナットホルダーにして、前記枕本体１５の基板１５ａに回転自在に軸支されている。１９は前記ピッチング用ネジ１７のネジが形成されていない軸部１７ｂを回転方向には自由であるが、軸方向には拘束するように軸支した軸受部にして、前記枕本体１５における基板１５ａに回転自在に軸支されている。
【００１７】
このように構成したことにより、ピッチング用ノブ１６を回転すると、スパイラルギア１６ａを介してスパイラルギア１７ａが回転されるので、ピッチング用ネジ１７が回転される。これにより、該ピッチング用ネジ１７はナット１８ａと螺合されていることから、該ピッチング用ネジ１７は図９、図１０において左右方向に移動する。
【００１８】
この時、ピッチング用ネジ１７の軸部１７ｂは軸受部１９に回転は可能だが軸方向には規制されているので、該軸受部１９は枕本体１５の基板１５ａを回転させることとなり、従って、枕本体１５は平行リンク１３と基板１５ａとの軸支点を支点として回動することとなる。すなわち、患者の首を支点として頭部を上下動させることになる。
【００１９】
図１１、図１２において、２０は前記枕本体１５の基板１５ａにおける下面に固定された軸杆にして、ロックメタル２１が回転自在に軸支されている。このロックメタル２１の前記軸杆２０の部分はスリ割り２１ａが形成され、このスリ割り２１ａの間隔が広がっている状態ではロックメタル２１は軸杆２０に対して回転自在であり、スリ割り２１ａの間隔が狭まると軸杆２０に対して固定される。
【００２０】
また、ロックメタル２１には角状のガイド孔２１ｂが形成されており、該ガイド孔２１ｂには医師が手術を行う際に手首を支えるリストレスト２２が取付けられている角柱状のガイド軸２２ａがスライド自在に取付けられている。なお、リストレスト２２は前記ガイド軸２２ａに対して固定された直立軸２２ｂと、該直立軸２２ｂに対して上下動可能にネジ２２ｃによって取付けられた上下動杆２２ｄとより構成されている。
【００２１】
さらに、前記ロックメタル２１には軸２１ｃによって回動自在なロックレバー２１ｄと、前記ガイド軸２２ａを固定するためのネジ２１ｅと、該ネジ２１ｅに螺合され前記ロックレバー２１ｄに固定されたナット２１ｆとより構成されている。
【００２２】
このように構成したことにより、ネジ２１ｅを緩めるとガイド孔２１ｂに挿入されているガイド軸２２ａがフリーな状態となるので、リストレスト２２を枕本体１５に対して前後方向にずらすことができる。また、この状態において、ロックメタル２１のスリ割り２１ａの間隔が広くなっているので、軸杆２０に対してロックメタル２１を回転することが可能となり、従って、リストレスト２２を回転することも可能となる。
【００２３】
この状態において、ネジ２１ｅを締め付けると、該ネジ２１ｅの先端がガイド軸２２ａの側面に当接するので、該ガイド軸２２ａの移動を阻止する。また、ネジ２１ｅを締め付けることにより、その反動によってナット２１ｆが後退するので、該ナット２１ｆが固定されているロックレバー２１ｄが軸２１ｃを支点として図１１において反時計方向に回動することとなる。この時、ロックレバー２１ｄの先端がスリ割り２１ａの間隔を狭める方向に回動することから、スリ割り２１ａの間隔が狭まりメタルロック２１は軸杆２０に固定され、従って、リストレスト２２の回転も阻止される。
【００２４】
次に、前記した構成に基づいて全体の動作を説明する。
先ず、手術台ＡをストレッチャーＢにセットした状態で前室および準備で、電源をコネクター３に接続した状態で手術時間の短縮を図るために点滴、麻酔、消毒および枕装置Ｄに載置されている患者の頭部を操作面４ａを操作して患者の頭部を手術に適切な状態にセットする。
【００２５】
すなわち、モータ９を駆動して枕本体１５を垂直方向に上下動させて患者の頭部を上下動させ、また、ピッチング用ノブ１６を回転して枕本体１５を回転させて患者の頭部を首の部分を支点として回動させ、患者の頭部を所望の角度にセットする。手術室ではネジ２１ｅを緩めてリストレスト２２を前後方向に移動させると共にリストレスト２２を左右方向に回動して施術者の所望の位置にセットされる。
【００２６】
そして、前記準備が終了した状態で、手術台ＡをストレッチャーＢから外してコラムＣにセットする。この時、手術台Ａにセットされている制御回路４よりコラムＣにセットされている制御回路８に対して眼科用の手術台Ａである旨の識別コードを送信することにより、コラムＣは眼科用の手術台Ａであることを認識して、例えば、図５に示す縦転動作の最大動作角度が一般的な手術における１／２となるように演算を実施し、動作角度を制限すると共に横転動作を禁止するような動作を行う。
【００２７】
なお、一般の手術台にも前記眼科用の手術台Ａとは異なる識別コードを持たせてもよく、あるいは、前記したように眼科用の手術台Ａのみに識別コードを持たせて、該識別コードを読み取ったときのみ眼科用の手術台Ａであると判断するようにしてもよい。
【００２８】
また、前記コラムＣには前もって電源が接続されているが、前記手術台Ａにも電源が接続されているので、手術台ＡをコラムＣにセットした状態ではコラムＣ自体の電源と手術台Ａの電源が接続されることになる。
【００２９】
このように２つの電源がコラムＣに接続されると、手術台Ａの電源とコラムＣの電源がぶつかり合って不都合が生じる。そこで、本発明にあっては、図１３に示す回路を構成した。すなわち、手術台Ａ側の電源部にリレーＲを接続し、該電源部が電源と接続された場合には、リレーＲが動作してその接点ｒが図示の状態に切り換えられてコラムＣ側の電源によって手術台Ａの制御回路４およびモータ９等を動作するようにした。もちろん、コラムＣに内蔵されたモータ等もコラム側の電源によって駆動されることとなる。
【００３０】
【発明の効果】
本発明は前記したように、モータによって平行リンクを駆動することにより枕本体を水平方向に上下動可能となし、かつ、前記枕本体を患者の首部を支点として上下方向に回動できるように構成した枕装置を眼科用手術台に取付け、かつ、前記手術台に前記モータを駆動するための制御回路を内蔵し、該制御回路を操作するための操作面を手術台の側面に露出して設けたので、例えば、ストレッチャーにセットした状態で準備室において、点滴、麻酔、消毒および患者の頭部を枕装置を制御して手術の際における適切な頭部位置にセットすることが可能となり、従って、手術への移行がスムーズに行えるものである。
【００３１】
また、枕本体に医師の手首を支えるためのリストレストを取付けたことにより、施術が行いやすく、しかも、リストレストの伸長と枕本体の水平方向の回動のロックおよび解除を１つのネジによって行えるので、機構のコンパクト化が図れる等の効果を有するものである。
【図面の簡単な説明】
【図１】本発明に係る手術台装置における手術台の平面図である。
【図２】手術台をストレッチャーにセットした状態の平面図である。
【図３】同上の側面図である。
【図４】同上の正面図である。
【図５】手術台の縦転運動を示す側面図である。
【図６】枕装置における枕本体を平行移動させる機構の平面図である。
【図７】同上の側面図である。
【図８】同上における枕本体が上昇した状態の平面図である。
【図９】枕本体を上下方向に回動するための装置の側面図であり、枕本体が上方に回動した状態を示す。
【図１０】同上の枕本体が下方に回動した状態の側面図である。
【図１１】枕本体を回転するための装置の平面図である。
【図１２】同上の側面図である。
【図１３】手術台とコラムとの回路図である。
【符号の説明】
Ａ          手術台
Ｂ          ストレッチャー
Ｃ          コラム
Ｄ          枕装置
４          手術台の制御回路
４ａ        操作面
８          コラムの制御回路
１３，１４  平行リンク
１５        枕本体
２１ｅ      ロック用ネジ
２２        リストレスト
【図１】
0003647726.tif 000002
【図２】
0003647726.tif 000003
【図３】
0003647726.tif 000004
【図４】
0003647726.tif 000005
【図５】
0003647726.tif 000006
【図６】
0003647726.tif 000007
【図７】
0003647726.tif 000008
【図８】
0003647726.tif 000009
【図９】
0003647726.tif 000010
【図１０】
0003647726.tif 000011
【図１１】
0003647726.tif 000012
【図１２】
0003647726.tif 000013
【図１３】
0003647726.tif 000014